(57)【要約】【課題】買物袋を開口状態で支持する袋支持台の利便性の向上を図る。【解決手段】袋支持台１は、一対の把手を有する買物袋の各把手をそれぞれ引っ掛けて買物袋を開口状態で支持する一対の引掛部３０と、一対の引掛部３０によって開口状態で支持される買物袋の配置領域３９の外側に配置され、買物袋とは異なる補助袋を一枚ずつ離脱可能に、支持する補助袋支持部６と、を備える。したがって、客は、補助袋を使用することができる。【選択図】図１
2011103998.tif 000002
【特許請求の範囲】
【請求項１】
相互に離間して対向配置され、一対の把手を有する買物袋の前記各把手をそれぞれ引っ掛けて前記買物袋を開口状態で支持する一対の引掛部と、
前記一対の引掛部によって開口状態で支持される前記買物袋の配置領域の外側に配置され、前記買物袋とは異なる補助袋を一枚ずつ離脱可能に、支持する補助袋支持部と、
を備えることを特徴とする袋支持台。
【請求項２】
商品が一時的に載置される一時置き台を備え、
前記補助袋支持部は、前記一時置き台に設けられていることを特徴とする請求項１に記載の袋支持台。
【請求項３】
相互に離間して対向配置され、それぞれ前記引掛部を有して片持ち支持された一対のアーム部材を備え、
前記補助袋支持部は、各前記アーム部材に設けられて前記引掛部における前記アーム部材の基端部側に位置する棒受け部を有し、
前記棒受け部は、複数の前記補助袋が連設されたシートが巻回されて構成された円筒状のロール体を、前記ロール体に挿入された芯棒を介して支持する、ことを特徴とする請求項１に記載の袋支持台。
【請求項４】
一対の前記アーム部材同士を接続した接続部材と、
前記接続部材に設けられ、前記シートを前記補助袋同士の接続部で切断する切断部と、
前記接続部材に設けられ、前記買物袋における前記一対の引掛部間に設けられた引掛片を引っ掛けて、前記買物袋を吊り下げ支持するフックと、
を備えることを特徴とする請求項３に記載の袋支持台。
【請求項５】
前記一対の引掛部及び前記補助袋支持部を支持し、前記一対の引掛部に支持された前記買物袋及び前記補助袋支持部に支持された前記補助袋による荷重を受ける載置台を有して、前記載置台にかかる荷重を計量する計量器を備えることを特徴とする請求項１ないし４のいずれか一項に記載の袋支持台。
【請求項６】
商品の計量開始を宣言する宣言手段と、
前記宣言がされた際の前記計量器による計量値を初期値として設定する設定手段と、
前記初期値からの前記計量器による計量値の変動値を算出する算出手段と、
を備えることを特徴とする請求項５に記載の袋支持台。
【発明の詳細な説明】
【技術分野】
【０００１】
本発明は、袋支持台に関する。
【背景技術】
【０００２】
従来、例えばスーパーマーケット等の小売店には、店員の操作によって会計を行う会計装置の近傍に袋詰め作業台が設置されており、袋詰め作業台で、客は、自身でレジ袋を開口状態としながら、会計が済んだ商品をレジ袋に詰める。
【０００３】
袋詰め作業台には、魚や果物等の水物商品等を収納するビニール袋等の補助袋が設置されており、補助袋に収納した状態で水物商品をレジ袋に入れることでレジ袋内の他の商品に水物商品の水分が付着するのを避けることができる。
【０００４】
ところで、近年、客の操作によって会計を行うセルフチェックアウトシステムが普及し始めている。セルフチェックアウトシステムは、レジ袋を開口状態で支持する袋支持台を備えており、スキャナで商品コードをスキャンした商品を客がレジ袋へ詰め込む作業の容易化が図られている（例えば、特許文献１参照）。
【発明の概要】
【発明が解決しようとする課題】
【０００５】
しかしながら、このような袋支持台には、水物商品等を入れるための補助袋が設置されていないため、客は補助袋を使用できず、不便であるという問題がある。
【０００６】
本発明は、上記に鑑みてなされたものであって、買物袋を開口状態で支持する袋支持台の利便性の向上を図ることを目的とする。
【課題を解決するための手段】
【０００７】
上述した課題を解決し、目的を達成するために、本発明の袋支持台は、相互に離間して対向配置され、一対の把手を有する買物袋の前記各把手をそれぞれ引っ掛けて前記買物袋を開口状態で支持する一対の引掛部と、前記一対の引掛部によって開口状態で支持される前記買物袋の配置領域の外側に配置され、前記買物袋とは異なる補助袋を一枚ずつ離脱可能に、支持する補助袋支持部と、を備える。
【発明の効果】
【０００８】
本発明によれば、買物袋を開口状態で支持する袋支持台の利便性の向上を図ることができる。
【図面の簡単な説明】
【０００９】
【図１】図１は、本発明の第１の実施の形態の袋支持台を籠載置台と共に示す斜視図である。
【図２】図２は、買物袋支持部を示す斜視図である。
【図３】図３は、一時置き台及び補助袋用フックを示す斜視図である。
【図４】図４は、補助袋用フックからの補助袋の離脱方法について説明するための説明図である。
【図５】図５は、スタート画面を示す図である。
【図６】図６は、袋支持台の各部の電気的接続を示すブロック図である。
【図７】図７は、袋支持台のＣＰＵの機能構成を示すブロック図である。
【図８】図８は、袋支持台のＣＰＵが実行する会計処理の流れを示すフローチャートである。
【図９】図９は、本発明の第２の実施の形態の袋支持台の要部を示す斜視図である。
【図１０】図１０は、ロール体がセットされた状態の袋支持台の要部を示す側面図である。
【発明を実施するための形態】
【００１０】
以下に添付図面を参照して、この発明にかかる袋支持台１の実施の形態を詳細に説明する。
【００１１】
（第１の実施の形態）
第１の実施の形態を図１ないし図８を参照して説明する。図１に示すように、袋支持台１は、台本体２と、台本体２の上部に設けられた計量器３と、計量器３の載置台２０に固定された買物袋支持部４と、載置台２０に固定された一時置き台５と、補助袋４００を支持する補助袋支持部である補助袋用フック６と、計量器３の上方に配置された入出力部７と、を備えている。袋支持台１の側方には、籠載置台１００が配置されている。
【００１２】
台本体２は、第１の筐体１０と、この筐体の上方に配置された載置台２０と、を有している。第１の筐体１０は、上面開口の矩形箱状に形成されている。載置台２０は、第１の筐体１０に対して上下動可能となっている。載置台２０は、第１の筐体１０の上面開口を覆っている。第１の筐体１０の底面の四隅には、車輪１１が取り付けられており、これらの車輪１１によって、袋支持台１は走行可能となっている。台本体２は、内部に、袋支持台１の各部を制御する制御部８（図６参照）を収納している。
【００１３】
計量器３は、載置台２０と、載置台２０の下方に位置して載置台２０に連結された計量部（図示せず）と、を備えている。計量部は、第１の筐体１０の内部に収納されて第１の筐体１０に固定されている。計量部は、載置台２０にかかる下方への荷重を計量して電気信号として制御部８へ出力するものであり、例えばロードセル等によって構成されている。載置台２０における正面縁部から背面側へ向かう所定の範囲は、買物袋支持部４によって支持される買物袋２００を載せる買物袋載置領域２０ａとなっている。
【００１４】
買物袋支持部４は、買物袋を支持するものである。ここで、買物袋は、客が購入した商品を収納する袋であって、一対の把手を有するものである。本実施の形態では、買物袋としてレジ袋３００やマイバック（図示せず）が適用されている。レジ袋３００は、店舗が客に提供する買物袋であり、マイバッグは、客が店舗に持ち込む買物袋である。レジ袋３００は、詳細には、図２に示すように、上面に開口３０１が形成された収納部３０２と、この収納部３０２の上部に連設された一対の把手３０３と、一対の把手３０３の間に位置する一対の引掛片３０４と、を有している。一対の把手３０３には、通し孔３０３ａが形成されている。また、引掛片３０４には、引掛孔３０４ａが形成されている。引掛片３０４における収納部３０２との接続部には、ミシン目４０２ｂが形成されており、引掛片３０４は、ミシン目４０２ｂで収納部３０２から分離可能となっている。なお、以後、レジ袋とマイバッグとを区別せずに単に買物袋として説明する場合、買物袋に符号２００を付与する。
【００１５】
買物袋支持部４は、相互に離間して対向配置されレジ袋３００を開口状態で支持する左右一対の第１の引掛部３０と、フック３１と、相互に離間して対向配置されマイバッグを開口状態で支持する左右一対の第２の引掛部３２と、を有している。即ち、買物袋支持部４は、一対の支持部として、一対の第１の引掛部３０と一対の第２の引掛部３２とを有している。買物袋支持部４では、これらの第１の引掛部３０、フック３１及び第２の引掛部３２を、支持構造３３が載置台２０に固定している。
【００１６】
支持構造３３は、第１の引掛部３０を支持している第１の支柱３４と、第２の引掛部３２を支持している第２の支柱３５と、これらの支柱３４，３５間に掛け渡された梁材３６と、を有して、載置台２０における買物袋載置領域２０ａの周囲に立設されている。
【００１７】
第２の支柱３５は、載置台２０の前部における前後左右に一本ずつ立設されている。そして、右後の第１の支柱３４と左後の第１の支柱３４間において、２本の第２の支柱３５が載置台２０に立設されている。また、右前の第１の支柱３４と右後の第１の支柱３４間、左前の第１の支柱３４と左後の第１の支柱３４間、右後の第１の支柱３４と左後の第１の支柱３４間に、それぞれ複数本の梁材３６が掛け渡されている。これらの第２の支柱３５は、右後及び左後の第１の支柱３４間に掛け渡された梁材３６に固定さている。なお、前側の２つの第１の支柱３５間には、梁材は設けられていない。したがって、客は、載置台２０における買物袋載置領域２０ａに対して、載置台２０の前方から買物袋２００を出し入れすることができる。
【００１８】
第１の引掛部３０は、第１の支柱３４の上端部から前方へ延出した棒状のアーム部材によって構成されている。第１の引掛部３０は、第１の支柱３４によって片持ち支持されている。第１の引掛部３０は、載置台２０における買物袋載置領域２０ａの上方に位置しており、第２の支柱３５を介して載置台２０に固定されている。図２に示すように、一対の第１の引掛部３０は、レジ袋３００の各把手３０３にそれぞれ挿入されることで、レジ袋３００の各把手３０３をそれぞれ引っ掛けてレジ袋３００を開口状態で支持する。別の言い方をすると、一方の第１の引掛部３０は、レジ袋３００の一方の把手３０３を引っ掛け、他方の第１の引掛部３０は、レジ袋３００の他方の把手３０３を引っ掛ける。第１の引掛部３０は、金属製の単一の棒部材が折り曲げ形成されることで、第１の支柱３４と一体形成されている。
【００１９】
フック３１は、図１及び図２に示すように、一対の第１の引掛部３０の間に配置されている。フック３１は、後ろ側の左右の第１の支柱３４に掛け渡された梁材３６のうちの最上段の梁材３６から前方へ突出しており、載置台２０の上方に位置している。フック３１は、レジ袋３００の引掛片３０４の引掛孔３０４ａを引っ掛けてレジ袋３００を吊り下げ支持する。
【００２０】
フック３１及び第１の引掛部３０が、折り畳まれた状態のレジ袋３００を吊り下げ支持した状態から、レジ袋３００に商品を詰める際には、客は、レジ袋３００から引掛片３０４を切り離して、そのレジ袋３００を前方へ引き出して開口状態とする。開口状態のレジ袋３００は、一対の第１の引掛部３０によって引っ掛けられた状態で支持される。即ち、本実施の形態では、一対の第１の引掛部３０は、レジ袋３００を開口状態、閉口状態のどちらの状態でも支持することができる。このように第１の引掛部３０によって支持されたレジ袋３００の底部は、載置台２０によって支持される。
【００２１】
第２の引掛部３２は、フック状に形成されている。第２の引掛部３２は、第１の支柱３４に接続されており、第１の支柱３４を介して載置台２０に固定されている。詳細には、右側の第２の引掛部３２は、右側の前後２本の第１の支柱３４に接続され、左側の第２の引掛部３２は、左側の前後２本の第２の支柱３５に接続されている。一対の第２の引掛部３２は、載置台２０における買物袋載置領域２０ａの上方に位置している。第２の引掛部３２は、金属製の単一の棒部材が折り曲げ形成されることで、第１の支柱３４と一体形成されている。一対の第２の引掛部３２は、マイバッグの各把手をそれぞれ引っ掛けてマイバッグを開口状態で支持する。別の言い方をすると、一方の第２の引掛部３２は、マイバッグの一方の把手を引っ掛け、他方の第２の引掛部３２は、マイバッグの他方の把手を引っ掛ける。このようにして一対の第２の引掛部３２によって支持されたマイバッグの底部は、載置台２０によって支持される。
【００２２】
一対の第１の引掛部３０によって開口状態で支持されるレジ袋３００及び一対の第２の引掛部３２によって開口状態で支持されるマイバッグの配置領域３９は、買物袋載置領域２０ａの上方の領域によって構成されている。別の言い方をすると、一対の第１の引掛部３０及び第２の引掛部３２は、配置領域３９に買物袋２００を配置する。一対の第１の引掛部３０は、一対の第２の引掛部３２の間に配置されており、かかる配置によって、一対の第１の引掛部３０によってレジ袋３００が配置される第１の配置領域と、一対の第２の引掛部３２によってマイバッグが配置される第２の配置領域とは、少なくとも一部が同じとなっており、これらの第１の配置領域と第２の配置領域とを合わせた領域が配置領域３９となっている。
【００２３】
以上の構成の買物袋支持部４は、上述の通り載置台２０に固定されている。したがって、載置台２０は、買物袋支持部４を支持し、買物袋支持部４に支持された買物袋２００による荷重を受ける。
【００２４】
一時置き台５は、商品が一時的に載置されるものである。詳細には、一時置き台５は、上面が略平坦な載置面５ａとなっており、この載置面５ａ上にスキャナ５２で商品コードが読み取られた商品であって買物袋支持部４に支持された買物袋２００や後述する補助袋４００に収納される前の商品が一時的に載置される。載置面５ａには、載置面５ａの左右一対の側縁と後縁とに沿った落下阻止部材４０が立設されている。落下阻止部材４０は、棒部材の組み合わせによって構成されている。落下阻止部材４０は、一時置き台５に載置された商品に当接して商品が一時置き台５から落下するのを阻止する。一時置き台５は、第３の支柱４１を介して載置台２０に固定されている。第３の支柱４１の下端部は、載置台２０の上面に固定され、第３の支柱４１の上端部は、一時置き台５の下面に固定されている。
【００２５】
一時置き台５の側面には、補助袋４００を支持する補助袋用フック６が設けられている。補助袋用フック６は、図１及び図３に示すように、略Ｊ字状に形成されており、上端部が一時置き台５の側面に固定されている。一時置き台５に対する補助袋用フック６の固定は、溶接、接着、ネジ止め等によってなされる。この補助袋用フック６は、一対の第１の引掛部３０によって開口状態で支持されるレジ袋及び一対の第２の引掛部３２によって開口状態で支持されるマイバッグの配置領域３９の外側に配置されている。補助袋用フック６は、補助袋４００を一枚ずつ離脱可能に、支持する。
【００２６】
ここで、補助袋４００は、買物袋２００とは異なる袋である。補助袋４００は、例えば水物商品等の商品を収納する袋であって商品を当該袋に収納した状態で買物袋２００に収納するためのものである。補助袋４００は、店舗が客に提供するものであり、例えば買物袋２００よりも大きさが小さいビニール袋等である。補助袋４００は、収納部のみで構成されていて把手は設けられていない。
【００２７】
補助袋用フック６は、図４に示すように、補助袋４００の上端部に形成された引掛孔４００ａに挿通されて、補助袋４００を引っ掛け支持する。補助袋用フック６は、複数枚の補助袋４００を引っ掛け可能となっている。補助袋用フック６は、一時置き台５及び第３の支柱４１を介して載置台２０に固定されている。即ち、載置台２０は、一時置き台５及び第３の支柱４１を介して補助袋用フック６を支持しており、補助袋用フック６に支持された補助袋４００による荷重を受ける。補助袋４００を使用する場合、客は、補助袋４００を下方に引っ張り、引掛孔の上方部分を補助袋用フック６で破断させて、補助袋４００を補助袋用フック６から離脱させる。
【００２８】
入出力部７は、図１に示すように、表示器５０と、表示器５０の画面上に積層配置されたタッチパネル５１と、表示器５０の下方に配置されたスキャナ５２と、スキャナ５２の下方に配置されたプリンタ５３と、プリンタ５３の側方に配置された決済装置５４と、を有している。表示器５０、スキャナ５２及びプリンタ５３は、第２の筐体５５に取り付けられており、決済装置５４は、第２の筐体５５の側面から突出した支持台５６に設置されている。第２の筐体５５は、支持部材５７を介して台本体２の第１の筐体１０に固定されている。
【００２９】
表示器５０は、例えば液晶表示器であり、制御部８に制御されて所定事項を表示する。表示器５０は、例えば図５に示すスタート画面５８を表示する。このスタート画面５８には、スタートボタン５８ａが表示される。
【００３０】
タッチパネル５１は、客等の操作者によってタッチされたパネル上のＸＹ座標の位置を認識して座標データを取得する。タッチパネル５１は、取得した座標データに応じた信号を制御部８に入力する。制御部８は、タッチパネル５１においてタッチされた座標に対応する表示器５０に表示されるボタン等を認識することで、タッチパネル５１によって指定されたボタン等を認識することになる。このタッチパネル５１は、宣言手段として機能し、スタート画面５８のスタートボタン５８ａに対してタッチ操作が行われることで商品の計量開始を宣言する。
【００３１】
スキャナ５２は、商品に付されたバーコード化された商品コード等の情報を光学的に読み取るものである。スキャナ５２は、読み取った情報を制御部８に入力する。
【００３２】
プリンタ５３は、図示しない長尺紙であるレシート用紙にレシートとしての必要事項を印字し、必要事項を印字した部分をレシート用紙から切断してレシートとして発行する。
【００３３】
決済装置５４は、読取部５４ａを有する。読取部５４ａは、当該読取部５４ａにかざされた非接触ＩＣカード（図示せず）との間で近距離の無線通信を行う。非接触ＩＣカードは、決済に係る情報が記憶しており、読取部５４ａは、無線通信によって非接触ＩＣカードに記憶されている決済に係る情報を読み取る。読取部５４ａは、非接触ＩＣカードとの無線通信を、例えばＲＦＩＤ（Radio Frequency Identification：無線周波数識別）で用いられる近距離無線通信用の電波を用いて行う。ここで、非接触ＩＣカードは、決済に係る情報として、例えばプリペイド方式の電子マネーの残高、カード識別情報、顧客識別情報等の情報を記憶している。
【００３４】
図６に示すように、制御部８は、各部を集中的に制御するＣＰＵ（Central Processing Unit）６０と、起動プログラム等の固定的データを予め格納するＲＯＭ（Read Only Memory）６１と、売上バッファや印字バッファ等の各種バッファを構成して各種データを書き換え自在に格納するＲＡＭ（Random Access Memory）６２と、日付や日時を計時する計時部６３と、を有するコンピュータである。ＲＯＭ６１、ＲＡＭ６２、計時部６３は、アドレスバス、データバス等のバスライン６４を介してＣＰＵ６０に接続されている。ＲＡＭ６２には、計量器３の計量の初期値を記憶する初期値記憶エリアが形成される。
【００３５】
ＣＰＵ６０に接続されたバスライン６４には、上述した表示器５０、タッチパネル５１、計量器３、スキャナ５２、プリンタ５３、決済装置５４の他、通信インターフェース（図面ではＩ／Ｆ）６５や記憶装置であるＨＤＤ（Hard Disk Drive）６６が接続されている。通信インターフェース６５は、外部装置との通信を実行する。
【００３６】
ＨＤＤ６６は、制御部８を動作させるプログラムの他に、商品マスタファイル、販売データ等を記憶する売上ファイル（いずれも図示せず）等を格納している。商品マスタファイルは、商品コードに対応付けて商品名や単価、重量等を記憶するファイルである。ＨＤＤ６６に格納されたプログラムは、商品マスタファイル等の各種ファイルとともにＲＡＭ６２に書き込まれ、これによって制御部８による各部の駆動制御が可能な状態となる。
【００３７】
上記構成の袋支持台１の使用方法を説明する。客は、会計前の商品を入れた買物籠を籠載置台１００に置き、買物袋２００（レジ袋３００又はマイバッグ）を開口状態で買物袋支持部４に支持させる。そして、客は、袋支持台１の正面側に立って、表示器５０に表示されたスタート画面５８のスタートボタン５８ａをタッチ操作した後、籠載置台１００に載置した買物籠の中の商品を取り出し、取り出した商品をスキャナ５２に近接させて商品に付された商品コードをスキャナ５２に読み取らせる。そして、客は、スキャナ５２によって商品コードの読み取りがなされた商品を、買物袋支持部４によって開口状態で支持されている買物袋２００に詰める。ここで、スタートボタン５８ａがタッチ操作された後、表示器５０は、終了ボタンを表示した画面を表示する。
【００３８】
客は、商品コードをスキャナ５２に読み取らせた後の商品を買物袋２００に詰める際、所望に応じて補助袋４００を補助袋用フック６から離脱させて使用することができる。例えば、客は、魚や果物等の水物商品を補助袋４００に収納し、補助袋４００に収納した状態で水物商品を買物袋２００に詰めることができる。また、この際、客は、一時置き台５を使用することができる。例えば、客は、商品コードをスキャナ５２に読み取らせた後、補助袋４００に収納する前の水物商品等の商品を一時置き台５に載せることで、何も持っていない手で補助袋４００を補助袋用フック６から離脱させることができる。そして、一時置き台５から商品を降ろして補助袋４００に収納し、補助袋に収納した商品を買物袋２００に入れる。また、客は、例えば、一時置き台５にパン等の潰れ易い商品を置き、他の商品を買物袋２００に詰めた後に、一時置き台５から商品を降ろして買物袋２００に直接入れることもできる。
【００３９】
客は、買物袋２００への商品の詰め込みが終了したならば、表示器５０に表示された終了ボタンをタッチ操作し、非接触ＩＣカードを決済装置５４にかざして例えば電子マネーによって代金を支払う。その後、客は、買物袋２００を買物袋支持部４から離脱させて、買物袋２００を袋支持台１から離脱させる。
【００４０】
次に、袋支持台１が上記使用方法に従って使用される際に、袋支持台１のＣＰＵ６０が実行する会計処理を説明する。この会計処理では、ＣＰＵ６０は、プログラムに従うことにより、図７に示すように、設定手段としての設定部７０と、受付手段としての受付部７１と、登録手段としての登録部７２と、算出手段としての算出部７３と、重量チェック手段としての重量チェック部７４、決済手段としての決済部７５と、を機能部として実現する。
【００４１】
次に、会計処理の流れを図８に示すフローチャートを参照して説明する。図８に示すように、ＣＰＵ６０は、スタート画面５８のスタートボタン５８ａがタッチ操作されることでタッチパネル５１によって商品の計量開始の宣言がされるまで待機する（ステップＳ１のＮｏ）。
【００４２】
ＣＰＵ６０は、商品の計量開始の宣言がされたと判断した場合（ステップＳ１のＹｅｓ）、設定部７０として動作して、商品の計量開始の宣言がされた際の計量器３による計量値を初期値として設定する（ステップＳ２）。詳細には、ＣＰＵ６０は、タッチパネル５１から受信した信号に基づいて商品の計量開始の宣言がされたと判断した時の計量器３の計量値をＲＡＭ６２の初期値記憶エリアに記憶させることによって、その計量値を初期値として設定する。そして、ＣＰＵ６０は、スキャナ５２に商品コードの読み取り動作を開始させるとともに、終了ボタンを表示した画面を表示器５０に表示させる。
【００４３】
次に、ＣＰＵ６０は、受付部７１として動作して、スキャナ５２からの商品コードの入力を受け付ける（ステップＳ３）。ＣＰＵ６０は、商品コードの入力を受け付けると、登録部７２として動作し、商品コードの入力を受け付けた商品の販売登録処理を行う（ステップＳ４）。詳細には、ＣＰＵ６０は、商品マスタファイルを検索して、入力された商品コードに対応する商品名、単価、重量等の商品情報を取得し、取得した商品情報に基づいて当該商品の販売データを作成してこの販売データをＲＡＭ６２等の記憶部に記憶させることで、当該商品の販売登録を行う。また、ＣＰＵ６０は、商品の商品情報のうち単価等を表示器５０に表示させる。さらに、ＣＰＵ６０は、ここまで販売登録した商品の合計金額を算出して、ＲＡＭ６２等の記憶部に記憶させるとともに、表示器５０に表示させる。
【００４４】
次に、ＣＰＵ６０は、算出部７３として動作して、ＲＡＭ６２の初期値記憶エリアに記憶されている初期値からの計量器３による計量値の変動値を算出する（ステップＳ５）。詳細には、ＣＰＵ６０は、ステップＳ３で商品コードを受け入れてから、載置台２０に商品が載置されることで計量器３の計量値が増加した後、計量器３の計量値が略一定値に安定したときの計量値を、対象計量値とする。そして、ＣＰＵ６０は、対象計量値からＲＡＭ６２の初期値記憶エリアに記憶されている初期値を除算することで、変動値を算出する。以後、この変動値を実際重量とも呼ぶ。
【００４５】
次に、ＣＰＵ６０は、重量チェック部７４として動作して、重量チェックを行う（ステップＳ７）。詳細には、ステップＳ５で算出した実際重量が、ステップＳ４で検索してＲＡＭ６２に記憶させた商品の重量（以後、理論重量とも呼ぶ）と同一性を有するか否かを判定することで、計量器３が計量した商品がステップＳ４で販売登録されたものか否かを判定する。ＣＰＵ６０は、実際重量と理論重量との差が規定の範囲内である場合には、実際重量は理論重量と同一性を有すると判定し、計量器３が計量した商品は販売登録済みのものであると判定する。一方、ＣＰＵ６０は、実際重量と理論重量との差が規定の範囲外である場合には、実際重量は理論重量と同一性を有しないと判定し、計量器３が計量した商品は販売登録がされていないものであると判定する。この判定をした後、ＣＰＵ６０は、ＲＡＭ６２の初期値記憶エリアの値をステップＳ３で得た対象計量値で更新して、対象計量値を新たな初期値として設定する。
【００４６】
ＣＰＵ６０は、計量器３が計量した商品は販売登録済みのものであると判定した場合において（ステップＳ７のＹｅｓ）、終了ボタンがタッチ操作されずに（ステップＳ８のＮｏ）、商品コードの入力が有ったときには、ステップＳ３に戻って商品コードの入力を受け付け、ステップＳ３〜Ｓ７の処理を繰り返し行う。一方、ＣＰＵ６０は、計量器３が計量した商品が販売登録されていないものであると判定した場合には（ステップＳ７のＮｏ）、規定のエラー処理を行う。
【００４７】
そして、ＣＰＵ６０は、表示器５０に表示された終了ボタンがタッチ操作されたと判断した場合（ステップＳ８のＹｅｓ）、決済部７５として動作して決済処理を実行する（ステップＳ９）。この決済処理では、ＣＰＵ６０は、販売登録した商品の代金を算出して、その算出した金額を表示器５０に表示させるとともに、決済装置５４を駆動して非接触ＩＣカードとの間で決済を行わせる。決済装置５４は、当該決済装置５４にかざされた非接触ＩＣカードに記憶された電子マネーの残高やカード識別情報等の情報を読み取った後、非接触ＩＣカードに電子マネーの残高から代金分の金額を減額させる。そして、ＣＰＵ６０は、当該取引のレシートをプリンタ５３に発行させる。また、ＣＰＵ６０は、決済装置５４が読み取ったカード識別情報に商品の代金の額を関連付けして請求情報を生成する。この請求情報は、所定のタイミングで電子マネー運用会社のサーバに送信され、このサーバの処理によって、請求情報に含まれる代金の額分の現金が、店舗が指定した預金口座に電子マネー運用会社から振り込まれる。
【００４８】
以上説明したように、本実施の形態の袋支持台１は、補助袋４００を一枚ずつ離脱可能に、支持する補助袋支持部である補助袋用フック６を備える。したがって、客は、補助袋用フック６から補助袋４００を離脱させることで、補助袋４００を使用することができるので、袋支持台１の利便性の向上を図ることができる。
【００４９】
また、本実施の形態の袋支持台１は、商品が一時的に載置される一時置き台５を備える。したがって、客は、買物袋２００に収納する前の商品を一時置き台５に置いた状態で、補助袋用フック６から補助袋４００を離脱させることができる。よって、客が補助袋４００を補助袋用フック６から離脱させる際に商品が邪魔になることが無いので、客は補助袋４００を容易に補助袋用フック６から離脱させることができる。
【００５０】
また、本実施の形態では、補助袋用フック６は、一時置き台５に設けられている。したがって、一時置き台５と補助袋用フック６とが比較的近くに位置する。よって、商品を一時置き台５に置いた後、補助袋４００を補助袋用フック６から離脱させ、補助袋用フック６から離脱させた補助袋４００の中に一時置き台５に置いた商品を収納する、という作業を客が容易に行うことができる。
【００５１】
また、本実施の形態の袋支持台１は、載置台２０にかかる荷重を計量する計量器３を備え、載置台２０は、一対の引掛部（一対の第１の引掛部３０や、一対の第２の引掛部３２）及び補助袋用フック６を支持し、一対の引掛部（一対の第１の引掛部３０や、一対の第２の引掛部３２）に支持された買物袋２００及び補助袋用フック６に支持された補助袋４００による荷重を受ける。したがって、計量器３は、一対の引掛部（一対の第１の引掛部３０や、一対の第２の引掛部３２）に支持された買物袋２００、補助袋用フック６に支持された補助袋４００の重量を含む載置台２０にかかる荷重を計量する。
【００５２】
また、本実施の形態の袋支持台１は、商品の計量開始を宣言する宣言手段としてのタッチパネル５１と、商品の計量開始の宣言がされた際の計量器３による計量値を初期値として設定する設定手段としての設定部７０と、設定部７０によって設定された初期値からの計量器３による計量値の変動値を算出する算出手段としての算出部７３と、を備える。したがって、商品を載置台２０や一時置き台５に載置する前に、客が、タッチパネル５１を操作してタッチパネル５１によって商品の計量開始を宣言させ、この宣言の後に商品を載置台２０や一時置き台５に商品を載置することで、補助袋用フック６が支持している補助袋４００の枚数や一対の引掛部３０が支持しているレジ袋３００の枚数に関係なく、袋支持台１は、計量器３の載置台２０に載置される商品の重量を正確に計量することができる。なお、マイバッグを使用する場合には、商品の計量開始の宣言前に第２の引掛部３２に支持させることで、袋支持台１は、計量器３の載置台２０に載置される商品の重量を正確に計量することができる。
【００５３】
（第２の実施の形態）
次に、本発明の第２の実施の形態を図９及び図１０を参照して説明する。なお、第１の形態と同じ要素には同一符号を付与し、重複する説明は省略する。
【００５４】
本実施の形態の袋支持台１Ａは、第１の実施の形態の袋支持台１Ａに対して、基本構成は同じであるが、買物袋支持部４Ａと補助袋支持部６Ａとが異なる。
【００５５】
買物袋支持部４Ａは、相互に対向配置された一対のアーム部材８０を有している。一対のアーム部材８０は、それぞれ第１の支柱３４の上端部から前方へ延出して第１の支柱３４に片持ち支持されている。これらの一対のアーム部材８０に、第１の引掛部３０及び補助袋支持部６Ａが設けられている。
【００５６】
アーム部材８０は、当該アーム部材８０の基端から前方へ延出した補助袋用アーム部８０ａと、補助袋用アーム部８０ａの前端から下方へ延出した接続部８０ｂと、接続部８０ｂの下端から前方へ延出した第１の引掛部３０と、を有している。アーム部材８０は、棒材が折り曲げ形成されることで構成されている。
【００５７】
一対の補助袋用アーム部８０ａの前端部同士は、左右に延在した接続部材８１によって接続されている。この接続部材８１は、棒材から構成されており、両端部が折り曲げ形成されて補助袋用アーム部８０ａに溶接や溶着等によって固定されている。接続部材８１には、フック３１が固定されている。フック３１は、接続部材８１の略中央部から下方へ延出して設けられている。
【００５８】
補助袋支持部６Ａは、補助袋４００を一枚ずつ離脱可能に、支持する。具体的には、補助袋支持部６Ａは、複数の補助袋４００からなるロール体４０１を支持する。ロール体４０１は、複数の補助袋４００が連設されたシート４０２が巻回されて構成されている。シート４０２における補助袋４００同士の接続部４０２ａには、ミシン目４０２ｂが形成されている。補助袋４００同士は、接続部４０２ａで分離（切断）可能となっている。
【００５９】
補助袋支持部６Ａは、各アーム部材８０の補助袋用アーム部８０ａに設けられた棒受け部８０ｃを有している。棒受け部８０ｃは、アーム部材８０に一体形成されて、アーム部材８０の一部を構成している。一対の棒受け部８０ｃは、第１の引掛部３０におけるアーム部材８０の基端部８０ｄ側に位置するとともに、接続部材８１におけるアーム部材８０の基端部側に位置する。棒受け部８０ｃは、ロール体４０１に挿入された芯棒５００の両端部を支持する。棒受け部８０ｃは、上方へ開口した凹状に形成されている。これらの一対の棒受け部８０ｃは、ロール体４０１に挿入された芯棒５００の両端部が上方から挿入され、挿入された芯棒５００の両端部を支持する。かかる構成の補助袋支持部６Ａは、ロール体４０１を回転可能に支持しており、補助袋支持部６Ａに支持されたロール体４０１からシート４０２を前方へ引き出し可能となっている。
【００６０】
また、袋支持台１Ａは、シート４０２を補助袋４００同士の接続部４０２ａで切断する切断部９０を備えている。切断部９０は、接続部材８１に固定されており、補助袋支持部６Ａによって支持されたロール体４０１の前方に位置している。切断部９０は、突起状に形成されて接続部材８１の略中央部から上方へ延出している。切断部９０は、補助袋４００同士の接続部４０２ａが押圧されることで補助袋４００同士を接続部４０２ａで切断する。
【００６１】
このよう構成において、客が補助袋４００をロール体４０１から分離させるには、客は、補助袋支持部６Ａに支持されたロール体４０１からシート４０２を前方へ引き出し、引き出したシート４０２における補助袋４００同士の接続部４０２ａを切断部９０に押圧する。これにより、切断部９０が補助袋４００同士を接続部４０２ａで切断し、シート４０２から補助袋４００を分離する。
【００６２】
以上説明したように、本実施の形態の袋支持台１Ａは、相互に離間して対向配置された一対のアーム部材８０を備え、一対のアーム部材８０は、それぞれ第１の引掛部３０を有して片持ち支持され、補助袋支持部６Ａは、各アーム部材８０に設けられて第１の引掛部３０におけるアーム部材８０の基端部側に位置する棒受け部８０ｃを有し、棒受け部８０ｃは、円筒状のロール体４０１を、ロール体４０１に挿入された芯棒５００を介して支持する。したがって、一対のアーム部材８０に棒受け部８０ｃ材及び第１の引掛部３０が設けられているので、棒受け部及び第１の引掛部が別々の部材に設けられている場合に比べて、袋支持台１Ａの構成を簡素化することができる。
【００６３】
また、本実施の形態の袋支持台１Ａは、一対のアーム部材８０同士を接続した接続部材８１と、接続部材８１に設けられ、シート４０２を補助袋４００同士の接続部で切断する切断部９０と、接続部材８１に設けられ、買物袋２００における一対の第１の引掛部３０間に設けられた引掛片３０４を引っ掛けて、買物袋２００を吊り下げ支持するフック３１と、を備える。したがって、切断部９０とフック３１とが接続部材８１に向けられているので、切断部とフックとが別々の部材に設けられている場合に比べて、袋支持台１Ａの構成を簡素化することができる。
【００６４】
なお、本発明は、本実施の形態に限ることなく本発明の要旨を逸脱しない範囲で他の実施の形態を各種採用することができる。例えば、補助袋支持部は、複数の補助袋を収納し、補助袋を一枚ずつ取り出し可能な収納箱であっても良い。
【００６５】
また、袋支持台で実行されるプログラムを、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録して提供しても良い。
【００６６】
また、袋支持台で実行されるプログラムを、インターネット等のネットワークに接続されたコンピュータ上に格納し、ネットワーク経由でダウンロードさせることにより提供するように構成しても良い。また、袋支持台で実行されるプログラムをインターネット等のネットワーク経由で提供または配布するように構成しても良い。
【符号の説明】
【００６７】
１，１Ａ…袋支持台
３…計量器
５…一時置き台
６…補助袋用フック（補助袋支持部）
６Ａ…補助袋支持部
２０…載置台
３０…第１の引掛部（引掛部）
３１…フック
３２…第２の引掛部（引掛部）
３９…配置領域
５１…タッチパネル（宣言手段）
７３…算出部（算出手段）
８０…アーム部材
８０ｃ…棒受け部
８０ｄ…基端部
８１…接続部材
９０…切断部
２００…買物袋
３００…レジ袋（買物袋）
３０３…把手
３０４…引掛片
４００…補助袋
４０１…ロール体
４０２…シート
４０２ａ…接続部
５００…芯棒
【先行技術文献】
【特許文献】
【００６８】
【特許文献１】特開２００７−２２６４９８公報
【図１】
2011103998.tif 000003
【図２】
2011103998.tif 000004
【図３】
2011103998.tif 000005
【図４】
2011103998.tif 000006
【図５】
2011103998.tif 000007
【図６】
2011103998.tif 000008
【図７】
2011103998.tif 000009
【図８】
2011103998.tif 000010
【図９】
2011103998.tif 000011
【図１０】
2011103998.tif 000012